(57)【要約】  特定の医療システム（例えばモダリティ）においては、画像再生特性曲線の目標特性曲線への調整のために設けられているプログラムをインストールすることが望まれない。この種の調整を簡単化する移動電話およびＬＣＤディスプレイを備えた装置を提案する。
2008537799.tif 000002
【特許請求の範囲】
【請求項１】
移動電話（ＭＴ）およびＬＣＤディスプレイモジュール（ＬＭ１，ＬＭ２）を備えた装置であって、
ＬＣＤディスプレイモジュール（ＬＭ１，ＬＭ２）がＬＣＤディスプレイ（３）およびルックアップテーブル（１）を有し、
ルックアップテーブル（１）により、調整段階中にＬＣＤディスプレイ（３）の輝度特性曲線が目標特性曲線に次のことによって適合化される、すなわち、調整プログラムが、測定装置（ＬＥ）が予め与え得るビデオ入力値において検出する輝度と目標輝度とから、ルックアップテーブル（１）に保存するためのビデオ出力値を算定することによって適合化される装置において、
移動電話（ＭＴ）およびＬＣＤディスプレイモジュール（ＬＭ１，ＬＭ２）が無線通信のための手段を装備させられていて、
移動電話（ＭＴ）が調整プログラムの実行のための手段を有し、ＬＣＤディスプレイモジュール（ＬＭ１，ＬＭ２）が検出された輝度を移動電話（ＭＴ）に伝達し、移動電話（ＭＴ）がビデオ出力値をそのディスプレイモジュールにルックアップテーブル（１）への取り込みのために供給することを特徴とする装置。
【請求項２】
テスト画像がＬＣＤディスプレイモジュール（ＬＭ１，ＬＭ２）において保存可能または発生可能であり、
ＬＣＤディスプレイモジュール（ＬＭ１，ＬＭ２）がコントローラ（２）を備え、コントローラ（２）に調整段階中に少なくとも１つの制御指令が供給可能であり、
少なくとも１つの制御指令は、コントローラ（２）がルックアップテーブル（１）にテスト画像からのテストパターンの選択のためのビデオ出力値を割り当てることを生じさせることを特徴とする請求項１記載の装置。
【請求項３】
移動電話（ＭＴ）が少なくとも１つの制御指令を使用者入力に応じてまたは自動的に発生することを特徴とする請求項２記載の装置。
【請求項４】
移動電話（ＭＴ）がＬＣＤディスプレイモジュール（ＬＭ１，ＬＭ２）へのテスト画像の取り込みのための他の制御指令を使用者入力に応じて発生することを特徴とする請求項３記載の装置。
【請求項５】
他の制御指令が、ＬＣＤディスプレイモジュール（ＬＭ１，ＬＭ２）の少なくとも１つのキーの操作またはＬＣＤディスプレイモジュール（ＬＭ１，ＬＭ２）のＯＳＤ機能の活性化によって発生させられることを特徴とする請求項３記載の装置。
【発明の詳細な説明】
【技術分野】
【０００１】
本発明は、移動電話およびＬＣＤディスプレイモジュールを備えた装置であって、ＬＣＤディスプレイモジュールがＬＣＤディスプレイおよびルックアップテーブルを有し、ルックアップテーブルによって調整段階中にＬＣＤディスプレイの輝度特性曲線が目標特性曲線に次によって適合化される、すなわち、調整プログラムが、測定装置が予め与え得るビデオ入力値において検出する輝度と目標輝度とから、ルックアップテーブルに保存するためのビデオ出力値を算定することによって適合化される装置に関する。
【０００２】
特に医学の分野においては、画像再生システムへの要求が、このシステムの画像再生特性曲線、例えば平面型画面パネルの画像再生特性曲線に関してかなり高い。画像再生特性曲線は、どのように電気信号が輝度および色度からなる光信号に変換されるかを指定する。例えば、輝度がビデオ入力信号の関数（ビデオレベル）として感覚的に等間隔にて増大することが望まれている。感覚的に等間隔ということは、人間の目が、例えば最大値の５０％のビデオレベルにおける画像を、１００％のビデオレベルにおける画像の半分の明るさに感じることを意味する。これを達成するためには、輝度特性曲線の経過を人間の目の感度に合わせるための措置が必要である。
【０００３】
輝度特性曲線は、いわゆるルックアップテーブルの助けにより調整することができる。補正は平面型画面パネルの制御に適したグラフィックプロセッサが先ずビデオ入力値およびこれらのビデオ入力値に割り付けられたビデオ出力値をルックアップテーブルに書き込むことによって行なわれる。どのビデオ出力値がパネルに与えられるかはビデオ入力値に依存し、それによって輝度が所望の輝度特性曲線にしたがって設定可能である。換言するならば、補正は、ディジタル化された画像がルックアップテーブルにより評価されるというやり方で行なわれ、ビデオ入力値の代わりにこのビデオ入力値に割り付けられたビデオ出力値がパネルに書き込まれる。
【０００４】
それによってルックアップテーブルを介して画像再生特性曲線を、これが例えばＤＩＣＯＭ標準規格に一致するように適合させることができる。この標準規格によれば、０．０５ｃｄ／ｍ2から４０００ｃｄ／ｍ2までの輝度範囲が１０２４段階（最小弁別差）に区分されるので、個々の段階間の輝度差は目によってかろうじて知覚可能である。それによって輝度が感覚的に一様に増加する。
【０００５】
輝度特性曲線を、例えばこのＤＩＣＯＭ標準規格に合わせるために、それぞれ１つのテストパターンを代表する多数のテスト画像が必要である。例えば、前景のために約３３個の灰色階調が、そして背景のために約５０個の灰色階調が調整され、適切な測定ヘッドがこの調整中に輝度を検出する。パーソナルコンピュータ上で作動可能な適切な調整プログラムが、ビデオ入力値、検出された輝度およびＤＩＣＯＭによる目標輝度からビデオ出力値を算出し、これらをルックアップテーブルに保存する。
【０００６】
特定の医療システム（例えばモダリティ）において、現場で画像再生特性曲線を調整するために調整プログラムをこのシステムにインストールすることは望まれない。したがって、通常この種の調整は工場設定の枠内で行なわれる。更に、調整のために必要とされる非常に多数のテスト画像により、十分なメモリ容量が必要あり、それによって、必要な全てのテスト画像をＦＰＧＡモジュール内またはＬＣＤディスプレイモジュールの画像メモリ内に保存することができない。
【０００７】
本発明の課題は、目標輝度特性曲線への輝度特性曲線の調整を簡単にした冒頭に述べた如き装置を提供することにある。
【０００８】
この目的は請求項１の特徴部分に示されている措置によって解決される。
【０００９】
ＬＣＤディスプレイが、例えば医療分野の現場において、そのためのコンピュータが必要となることなく調整可能であることが好ましい。調整プログラムは、移動電話上にて作動可能であり、必要な調整データは移動電話とＬＣＤディスプレイモジュールとの間において無線伝送される。移動電話およびＬＣＤディスプレイモジュールは、このためにそれぞれブルートゥースインターフェースの形の通信インターフェースとともに構成されている。
【００１０】
本発明の一形態においては、調整プロセスまたは画質検査のために、非常に多数のテストパターンを発生させることができる。このためには、多数の個別のテストパターン、すなわち多数のパネル上に表示可能な符号復元された個別のテスト画像を発生させるための符号化されたテスト画像が必要とされるだけであり、これらのテストパターンは通常ＬＣＤディスプレイモジュール内に存在するルックアップテーブルによって復元可能である。通常、ルックアップテーブルは２５６個の校正個所を有し、それによって、例えば２５６個のグラフィックエレメントがアドレス指定可能である。このルックアップテーブルが８ビット分解能を有する場合には、各エレメントは２５６個の灰色階調にて表示可能であり、および／またはカラーディスプレイモジュールの場合には２24個のカラーで表示可能である。
【００１１】
請求項３に示された措置による本発明の他の形態においては、移動電話が少なくとも１つの制御指令を使用者入力に応じてまたは自動的に発生する。それによって現場での調整が簡単化され、サービス技術者は、特別なテストパターンを呼び出すことができ、あるいは調整に必要な種々のテストパターンを順次呼び出す調整プログラムを作動させることができる。
【００１２】
本発明の他の有利な構成は他の従属請求項からもたらされる。
【００１３】
以下において、本発明の実施例が具体的に示されている図面に基づいて、本発明、その構成ならびに利点を更に詳細に説明する。
【００１４】
図１は移動電話およびＬＣＤディスプレイモジュールを備えた装置を示し、図２はＬＣＤディスプレイの制御のための装置を示し、図３ないし図５はＬＣＤディスプレイ上に表示可能な種々のテストパターンを示す。
【００１５】
図1にはＭＴにて移動電話が示されている。移動電話ＭＴは、ここには図示されていないメモリを有する。このメモリには、移動電話ＭＴ上において調整段階中に実行される調整プログラムが保存されている。この調整段階中に先ず輝度検出装置ＬＥがＬＣＤディスプレイモジュールＬＭ１のＬＣＤディスプレイの輝度を検出する。検出された輝度は通信インターフェースＫＳを介して移動電話ＭＴに無線伝送される。この調整中にＬＣＤディスプレイに多数のテストパターン（符号復元化されたテスト画像）が表示される。これらのテストパターンは、以下において更に示すように、符号化されたテストパターンから発生させられる。通信インターフェースＫＳは、輝度検出装置ＬＥによって直列に供給される輝度値を、これをブルートゥースインターフェースを介して移動電話ＭＴへ伝達するために前処理する。調整プログラムの実行のために設けられている移動電話ＭＴのコントローラが、検出された輝度と移動電話ＭＴ内に保存されている目標輝度とから、ＬＣＤディスプレイモジュールＬＭ１のルックアップテーブルに取り込むためのビデオ出力値を算定する。移動電話ＭＴは、その算定されたビデオ出力値を、このブルートゥースインターフェースを介して通信インターフェースＫＳに伝送する。通信インターフェースＫＳはビデオ出力値を直列にＬＣＤディスプレイモジュールＬＭ１に供給する。ＬＣＤディスプレイモジュールＬＭ１は、ビデオ出力値をルックアップテーブルに登録する適切なコントローラを有する。その調整プロセスの後に他のＬＣＤディスプレイモジュールＬＭ２を調整することができるようにするために、通信インターフェースＫＳは、同様にこのＬＣＤディスプレイモジュールＬＭ２に接続されている。ＬＣＤディスプレイモジュールＬＭ２の調整のために、輝度検出装置ＬＥがＬＣＤディスプレイモジュールＬＭ２のＬＣＤディスプレイ上に配置されている。
【００１６】
以下において、ＬＣＤディスプレイモジュールのＬＣＤディスプレイの制御のための装置が示されている図２を参照する。図２においては、１にてルックアップテーブルが示されている。ルックアップテーブル１にはコントローラ２のビデオ入力ステップが供給可能である。コントローラ２は、通常動作モード中に画像信号を伝送するグラフィックプロセッサの構成部分であってよい。グラフィックプロセッサは画像信号を処理し、処理された画像信号をビデオ入力ステップの形でルックアップテーブル１に伝達する。ルックアップテーブル１はビデオ入力ステップを画像再生特性曲線の最適化のために評価し、ビデオ入力ステップに割り付けられたビデオ出力ステップをＬＣＤディスプレイ３に与える。
【００１７】
調整段階中における調整プロセスのために多数のテストパターン（符号復元されたテスト画像）を符号化されたテスト画像から発生させるために、この実施例では、符号化されたテスト画像が保存可能であるメモリ４が設けられていて、移動電話は適切な通信インターフェースを介してテスト画像をメモリ４に登録する。メモリ４、コントローラ２ならびにルックアップテーブル１およびＬＣＤディスプレイ３は、ＬＣＤディスプレイモジュールの構成部分である。テスト画像の伝送は、コントローラ２に、通信インターフェース５５を介して伝達される制御指令によって指示される。
【００１８】
もちろん、テスト画像を先ずコントローラ２に伝送して、コントローラ２がテスト画像をメモリ４に書き込むようにすることができる。
【００１９】
符号化されたテスト画像を、例えば装置のＥＥＰＲＯＭ内に保存することもでき、それによって装置へのテスト画像の伝送が省略され、これにより調整プロセスが短縮される。更に、ＥＥＰＲＯＭ内に完全なテスト画像を保存しないで、テスト画像を発生させるために必要であるデータだけを保存することを考えられ得る。この場合には装置におけるメモリ要求が低減され、装置のテスト画像発生のために、テスト画像発生のための指令だけが通信インターフェース５を介して伝送され、適切なプログラムがコントローラ２においてテスト画像を発生させる。
【００２０】
使用者は、移動電話上において作動可能な選択プログラムを介してメニュー制御式にてテストパターンを選択し、それによって選択プログラムが他の制御指令を発生して、コントローラ２に通信インターフェース５を介して伝送する。この制御指令に依存してコントローラ２が、ルックアップテーブル１にビデオ出力値を取り込む。ビデオ出力値により、テスト画像のテストパターンが、以下において更に説明するように、符号復元化される。テストパターンの選択は自動的に行なうこともできる。この場合には調整ソフトウェアが、例えば順次異なるテストパターンを選択して、ＬＣＤディスプレイ３上に表示する。テストパターンの輝度が検出され、画像再生特性曲線の最適化または画質の検査のために評価される。
【００２１】
以下において、ＬＣＤディスプレイ上に表示可能な種々のテストパターンが示されている図３ないし図５を参照する。
【００２２】
画像メモリＢＳに保存された符号化されたテスト画像が、１０２４×１０２４ピクセルを有するモノクロＬＣＤディスプレイに表示可能であることを仮定する。更に、単純化のために、８ビットのルックアップテーブルＬＵＴがビデオ入力ステップの評価のために設けられ、それによって２５６個のグラフィックエレメント、例えば矩形、三角形または円の形でのエレメントがテスト画像内に配置されていて、任意の灰色階調または色調で表示可能であることを仮定する。単純化のために、この例では、１つの符号化されたモノクロテスト画像だけが画像メモリＢＳに保存されている。エレメントがカラー表示されるべき場合には、各Ｒ，Ｇ，Ｂ基本色のための各ビデオ入力値についてビデオ出力値を用意すべきである。
【００２３】
図３において、コントローラ２によってロードされるルックアップテーブルＬＵＴには、ビデオ入力値ＶＥにビデオ出力値ＶＡが割り付けられている。ビデオ入力値４にはビデオ出力値２５５が割り付けられ、残りのビデオ入力値にはそれぞれビデオ出力値０が割り付けられている。これは、画像メモリＢＳにおける値４にて符号化された記憶内容がＬＣＤディスプレイＬＡ上において白で表示されることを意味する（３４１から６８２までのピクセル範囲）。これに対して、画像メモリＢＳにおける値４にて符号化されていない記憶内容はディスプレイＬＡ上において黒で表示され（残りの範囲）、これが図では垂直線によって示されている。
【００２４】
図４による例では、ＬＣＤディスプレイＬＡの３４１から６８２までのピクセルに対応するメモリセルに、またもやビデオ入力値４が保存されている（同じ符号化されたテスト画像）。ルックアップテーブルＬＵＴの指定にしたがって、このビデオ入力値にビデオ出力値１２８が割り付けられていて、それによってテストパターンが、３４１から６８２までのピクセルの範囲における灰色矩形の形で（斜線にて）表示され、ＬＣＤディスプレイＬＡの残りのピクセル範囲は黒で表示される。
【００２５】
ビデオ入力値９にビデオ出力値２５５が割り付けられかつ残りのビデオ入力値にビデオ出力値０が割り付けられている図５による画像メモリＢＳおよびルックアップテーブルＬＵＴの指定に基づいて、６８２から１０２３までのピクセル範囲において、テスト画像における白の三角形がテストパターンとして符号復元され、ＬＣＤディスプレイＬＡ上に表示され、ＬＣＤディスプレイＬＡの残りの範囲は黒で表示される。
【図面の簡単な説明】
【００２６】
【図１】移動電話およびＬＣＤディスプレイモジュールを備えた装置を示す概略図
【図２】ＬＣＤディスプレイの制御のための装置を示すブロック図
【図３】ＬＣＤディスプレイ上に表示可能な第１のテストパターンを示す概略図
【図４】ＬＣＤディスプレイ上に表示可能な第２のテストパターンを示す概略図
【図５】ＬＣＤディスプレイ上に表示可能な第３のテストパターンを示す概略図
【符号の説明】
【００２７】
１          ルックアップテーブル
２          コントローラ
３          ＬＣＤディスプレイ
４          メモリ
５          通信インターフェース
ＢＳ        画像メモリ
ＫＳ        通信インターフェース
ＬＡ        ＬＣＤディスプレイ
ＬＥ        輝度検出装置
ＬＭ１      ＬＣＤディスプレイモジュール
ＬＭ２      ＬＣＤディスプレイモジュール
ＬＵＴ      ルックアップテーブル
ＭＴ        移動電話
ＶＡ        ビデオ出力値
ＶＥ        ビデオ入力値
【図１】
2008537799.tif 000003
【図２】
2008537799.tif 000004
【図３】
2008537799.tif 000005
【図４】
2008537799.tif 000006
【図５】
2008537799.tif 000007
【国際調査報告】
2008537799.tif 000008
2008537799.tif 000009
2008537799.tif 000010
2008537799.tif 000011
2008537799.tif 000012
2008537799.tif 000013